(57)【要約】      （修正有）【課題】利用者の利便性を向上させる乗場行先階予約式の群管理システムを提供する。【解決手段】複数台のエレベータ５０〜５２と、各エレベータの制御を行うエレベータ制御装置３０〜３２と、エレベータ制御装置に接続され、かつ複数台のエレベータの運行を管理する群管理制御装置１０に接続され、かつ乗場に設けられた行先階登録装置２０，２１と携帯端末４３，４４を利用した乗場行先階予約式の群管理システムにおいて、ホール近傍または行先階登録装置内に設置したｗｉｆｉ等の無線基地局を介して、利用者が所有している携帯端末（スマートフォン）を操作することでエレベータのホール呼びとかご呼びを可能とし、混雑時には一旦割当てを行った後に待ち時間が一定以上となる可能性がある場合に、エレベータの割当て変更、すなわち再割当てを可能とすることを特徴とする。【選択図】図１
2014118263.tif 000002
【特許請求の範囲】
【請求項１】
複数台のエレベータと、各エレベータの制御を行うエレベータ制御装置と、前記エレベータ制御装置に接続され、前記複数台のエレベータの運行を管理する群管理制御装置と、乗場に設けられ、前記群管理制御装置と接続されたエレベータの行先階の登録をする行先階登録装置とを備え、携帯端末から前記行先階の登録をできるエレベータ群管理システムにおいて、前記群管理制御装置は、前記携帯端末からの前記行先階登録に応じてエレベータかごの割当てを行った後に、当該割当ての変更の要否を判断し再割り当てを行う機能を備えることを特徴とする乗場行先階予約方式のエレベータ群管理システム。
【請求項２】
請求項１において、前記群管理制御装置は、一度割当てられたエレベータかごに対し、利用者の待ち時間を算出し、待ち時間が所定のしきい値以上となる可能性がある場合か、しきい値以上となった場合かの一方で、再割当を行うこと特徴とする乗場行先階予約方式のエレベータ群管理システム。
【請求項３】
請求項１において、前記群管理制御装置は、再割当したエレベータかごを前記携帯端末に報知して表示し、音または振動により再割当てを利用者に報知することを特徴とする乗場行先階予約方式のエレベータ群管理システム。
【請求項４】
請求項１において、前記携帯端末は行先階登録専用の無線端末ではなく、汎用の携帯端末に行先階登録用の専用アプリをインストールすることで、行先階登録装置として利用可能な携帯端末であることを特徴とする乗場行先階予約方式のエレベータ群管理システム。
【請求項５】
複数台のエレベータと、各エレベータの制御を行うエレベータ制御装置と、
前記エレベータ制御装置に接続され、前記複数台のエレベータの運行を管理する群管理制御装置と、
当該群管理制御装置に接続されて乗場に設けられた行先階登録装置とを有する乗場行先階予約方式のエレベータ群管理システムにおいて、
前記群管理制御装置は、
エレベータ利用者が携帯端末を操作して、乗場階に設置した無線LANの基地局を介して、エレベータのホール呼びとかご呼びを行ったときに、当該携帯端末を認証して前記ホール呼びとかご呼びを登録する携帯端末判定部と、
前記ホール呼びとかご呼びに対してエレベータかごの割当てを行い、前記無線LANを介して、前記携帯端末にエレベータかごの割当てを通知する割当て号機選択部と、
前記エレベータかごの割当てを行った後に、エレベータかごの割当て変更を行う割当て号機変更判定部とを備え、
前記ホール呼びとかご呼びに対してのエレベータかごの割当て後に、一定の条件下でエレベータかごの再割当てを行うことを可能としたことを特徴とする乗場行先階予約方式のエレベータ群管理システム。
【請求項６】
請求項５において、前記群管理システムは、前記無線LANを介して、エレベータ利用者の携帯端末に対して、エレベータかごの再割当てを知らせる機能を有することを特徴とする乗場行先階予約方式のエレベータ群管理システム。
【請求項７】
請求項５または６において、前記エレベータ利用者の待ち時間が一定以上となる可能性がある場合に、前記エレベータかごの再割当てを行うことを特徴とする乗場行先階予約方式のエレベータ群管理システム。
【請求項８】
請求項５または６において、前記エレベータ利用者の待ち時間が一定以上となった場合に、前記エレベータかごの再割当てを行うことを特徴とする乗場行先階予約方式のエレベータ群管理システム。
【請求項９】
請求項６において、前記エレベータかごの再割当てを知らせるときに、音による報知、振動による報知の少なくとも一つによる報知を行うことを特徴とする乗場行先階予約方式のエレベータ群管理システム。
【請求項１０】
請求項６において、前記携帯端末は、前記無線LANとの接続機能を有するとともに、利用するエレベータが設置された特定ビル用の専用アプリがインストールされており、前記無線LANを介して前記群管理装置とのデータの送受信を行い、前記ホール呼びとかご呼びを行うことを特徴とする乗場行先階予約方式のエレベータ群管理システム。
【請求項１１】
請求項６または１０において、前記携帯端末は、前記無線LANとの接続機能を有するとともに、利用するエレベータが設置された特定ビル用の専用アプリがインストールされており、前記無線LANを介して前記群管理装置は、前記携帯端末とデータの送受信を行い、前記エレベータかごの再割当てを前記携帯端末に知らせることを特徴とする乗場行先階予約方式のエレベータ群管理システム。
【請求項１２】
請求項１０または１１において、前記携帯端末はスマートフォンであり、当該スマートフォンのwifi接続機能を使って、前記群管理装置は、前記携帯端末とデータの送受信を行うことを特徴とする乗場行先階予約方式のエレベータ群管理システム。
【発明の詳細な説明】
【技術分野】
【０００１】
本発明は、エレベータ利用者が乗場で行先階の登録を行うことができる乗場行先階予約方式を取り入れたエレベータ群管理システムに関するものである。
【背景技術】
【０００２】
エレベータの群管理システムは、複数台のエレベータを１つのグループとして制御することで、利用者に対して効果的な運行サービスを提供する。通常、エレベータ群管理システムでは、複数のエレベータを一つのグループとして管理し、乗り場でのホール呼びが登録された場合に、このグループの中から最適なエレベータかごを選択して、前記のホール呼びを割当てる処理を行う。
【０００３】
エレベータの群管理システムの一つとして、乗り場で行先階を登録する乗場行先階予約方式の群管理システムがある。この乗場行先階予約方式は、エレベータの乗り場に設置してある行先階登録装置を使用することにより、ホール呼び登録と同時に行先階（かご呼び）も登録する方式である。一般的な群管理エレベータでは、乗り場に設置の釦によりホール呼びを登録し、割当てられたエレベータかごが到着して乗った後に、行先階（かご呼び）を登録する。これに対し、乗場行先階予約方式の群管理システムでは、乗り場でのホール呼び登録と同時に行先階が登録されて、行先階が分かるので、通常の群管理に比較し、より最適なエレベータかごを割当てることができる。
【０００４】
特許文献１には、乗り場に設けられエレベータの行先階を登録するための行先階登録装置と、登録された行先階にサービスするエレベータを案内表示するサービスエレベータ案内表示装置を備えたエレベータ群管理システムにおいて、前記行先階が登録されたとき、ほぼ同時に複数台のエレベータを案内表示するサービスエレベータ案内表示装置を備えたことを特徴とする乗場行先階予約方式のエレベータ群管理システムが記載されている。
【０００５】
また、特許文献２には、利用客が個人認証手段を備えるエレベータ呼出装置を使用してエレベータを呼出した時に、前記個人認証手段により乗客を個人認証して、その乗客の行先情報に基づいて、エレベータの行先階を自動登録する行先階自動登録手段を有することを特徴とする乗場行先階予約方式のエレベータ群管理システムが記載されている。
【先行技術文献】
【特許文献】
【０００６】
【特許文献１】特開２００８−１６２７６４号公報
【特許文献２】特開２００１−３０２１１７号公報
【発明の概要】
【発明が解決しようとする課題】
【０００７】
従来の乗場行先階予約方式の群管理システムでは、利用者は行先階登録装置の表示部で割当てられたエレベータを認識するしかないため、群管理システムが一旦割当てたエレベータかごは変更することはできない。すなわち、群管理システムが、交通流の変化に応じてさらに最適なエレベータかごを割り当てるために、割り当てたエレベータかごを変更しようとしても、通知する相手が不明であるため、変更通知を行うことができない。
【０００８】
このため、従来の乗場行先階予約方式の群管理システムでは、時々刻々にエレベータの交通流が変化した時や、特定階で混雑状態が生じたときの利用者の待ち時間が、予期に反して長くなる可能性があり、また全体的なエレベータ運用効率も落ちる可能性がある。
【０００９】
以上の様に、従来の乗場行先階予約方式のエレベータ群管理システムでは、利用者へのエレベータかごの割り当てを事後に変更することができないことから、混雑時の平均待ち時間が長くなり、利用者の利便性を損なう可能性があるとともに、全体的なエレベータ運用効率が落ちる可能性がある。
【００１０】
そこで、本発明は、乗場行先階予約方式のエレベータ群管理システムにおいて、利用者の待ち時間の低減を図り利便性を向上させ、エレベータの全体的な運行効率を向上することを目的としている。
【課題を解決するための手段】
【００１１】
本発明を複数の観点から把握することができるが、一つの観点から捉えた代表的な本発明の乗場行先階予約方式の群管理システムは、以下の通りである。また、その他の観点から捉えた本発明の群管理システムは、以下に述べる発明を実施する形態の説明等でさらに明らかになる。
【００１２】
すなわち、本発明は、複数台のエレベータと、各エレベータの制御を行うエレベータ制御装置と、前記エレベータ制御装置に接続され、前記複数台のエレベータの運行を管理する群管理制御装置と、乗場に設けられ、前記群管理制御装置と接続されたエレベータの行先階の登録をする行先階登録装置とを備え、携帯端末から前記行先階の登録をできるエレベータ群管理システムにおいて、前記群管理制御装置は、前記携帯端末からの前記行先階登録に応じてエレベータかごの割当てを行った後に、当該割当ての変更の要否を判断し再割り当てを行う機能を備えることを特徴とする乗場行先階予約方式のエレベータ群管理システムである。
【発明の効果】
【００１３】
本発明によれば、乗場行先階予約方式のエレベータ群管理システムで、行先階登録装置としてスマートフォン等の携帯端末が使用可能であり、エレベータ利用者がエレベータ乗場の前から離れていてもホール呼び登録と行先階呼び（かご呼び）の登録が可能である。
【００１４】
また、本発明によれば、スマートフォン等の携帯端末により行先階登録を行うため、利用者が特定できる仕組みであることから、エレベータかごの割当て変更が可能で、その割当て変更を利用者の携帯端末に報知することが可能となり、利用者の利便性が向上し、エレベータの全体的な運行効率が向上する。
【図面の簡単な説明】
【００１５】
【図１】本発明の実施形態に係る行先階予約方式のエレベータ群管理システムを実現するための構成例を示すブロック図である。
【図２】本実施形態に係る行先階予約方式のエレベータ群管理システムにおける行先階登録装置として携帯端末を使用した場合の携帯端末の表示部の表示例を示す説明図である。
【図３】本実施形態に係る行先階予約方式のエレベータ群管理システムにおける行先階登録装置として携帯端末を使用した場合のエレベータかごの割当てと割当て変更の処理のフローの例を示説明図である。
【発明を実施するための形態】
【００１６】
以下、図面等を用いて、本発明の実施形態について説明する。以下の説明は本発明の内容の実施の形態を示すものであり、本発明がこれらの実施の形態に限定されるものではなく、本明細書に開示される技術的思想の範囲内において当業者による様々な変更および修正が可能である。また、実施の形態および具体的な実施例を説明するための全図において、同一の機能を有するものは、同一の符号を付け、その繰り返しの説明は省略することがある。
【００１７】
以下に説明する本発明を実施するための形態では、主として次のような構成を採用する。
本発明の実施するための形態の乗場行先階予約方式の群管理システムは、複数台のエレベータと、各エレベータの制御を行うエレベータ制御装置と、前記エレベータ制御装置に接続され、かつ前記複数台のエレベータの運行を管理する群管理制御装置と、当該群管理制御装置に接続されて乗場に設けられた行先階登録装置とを備えたエレベータ群管理システムであり、利用者が所有している携帯端末（スマートフォン、タブレットPC等の携帯端末。以下において、スマートフォン等と言うことがある。）を操作することで、乗場階床、特にホール近傍または行先階登録装置内に設置した無線LAN（wifi等）の無線基地局にアクセスし、当該無線LAN（wifi等）を介してエレベータのホール呼びとかご呼びを可能としたエレベータ群管理システムである。
【００１８】
また、本発明を実施するための形態の乗場行先階予約方式の群管理制システムは、利用者に一旦エレベータかごの割当てを行った後に、利用者の待ち時間が一定以上となる場合、または一定以上となる可能性がある場合に、エレベータかごの割当て変更、すなわち再割当てを可能とするエレベータ群管理システムである。
【００１９】
また、本発明を実施するための形態の乗場行先階予約方式のエレベータ群管理システムは、行先階登録を行ったエレベータ利用者の携帯端末に対して、無線LAN（wifi等）を介してエレベータかごの割当て変更を知らせることが可能なエレベータ群管理システムである。
【００２０】
携帯端末が無線接続する無線LAN(wifi等)の無線接続は、公衆無線LAN等の一般の商用無線ネットワークによる接続はもちろん、構内無線ネットワーク接続、通信事業者の提供する専用無線ネットワーク接続等を含み、携帯端末が、インターネット、イントラネット、構内無線ネットワーク、専用無線ネットワーク等を介してエレベータ群管理システムと相互に情報データの送受信が可能であるならば良い。
【００２１】
携帯端末には、ホール呼びと行き先階登録を可能とする専用アプリケーションがインストールされることにより、携帯端末の操作によって専用アプリケーションを起動することができる。当該専用アプリケーションの操作により、利用者が乗ろうとするエレベータの設置ビル（建物）のエレベータ群管理システムが特定されて情報データの送受信が行われ、携帯端末からホール呼びと行き先階登録が可能となる。なお、当該専用アプリケーションを特定ビルのエレベータ群管理システムに専用のアプリケーションとなるようにするため、ネットワーク上のアドレス設定によるエレベータ群管理システムの特定を行う。また、利用者のIDコード入力によりホール呼びと行き先階登録を可能とする方式とする。加えて、利用者がエレベータかごに乗ろうとする乗場の階床が、携帯端末によってアクセスされた無線基地局の位置によって自動的に特定されることにより、利便性が増す。
【００２２】
なお、前述のように、ホール呼びと行き先階呼びの登録を可能とする専用アプリケーションは、利用者の居住または勤務するビル専用のアプリケーションであって、ビル管理者から認定されたアプリケーションとして、ID番号やパスワード等による個人認証機能付きのものであるならば、利便性が高い。エレベータ設置者が共通ソフトを準備し、エレベータ群管理システムが設置されたビルの認証機能を組み込み、そのビルに専用のソフトとしたものを、携帯端末のアプリケーションとして、そのビルの居住者または勤務者の携帯端末用に提供することができる。
【実施例１】
【００２３】
本発明の実施形態に係る乗場行先階予約方式のエレベータ群管理システムでのエレベータ運転について、図面を参照しながら以下に説明する。
【００２４】
図１は、本発明の実施形態に係る乗場行先階予約方式のエレベータ群管理システムにおいて、行先階登録装置として携帯端末を使用したシステムを実現するための構成を示している。
【００２５】
１０は群管理制御装置、１０１は携帯端末の判定を行いホール呼びを行った携帯端末を特定する携帯端末判定部、１０２は各階、各号機ごとの待ち時間算出部、１０３は割当て号機変更判定部、１０４はエレベータかご内とホールの表示機制御部、１０５はエレベータかごの割当て号機選択部、２０、２１は行先階登録装置、３０〜３２はエレベータ制御装置、５０〜５２はエレベータ装置、４３、４４は携帯端末（スマートフォン等の無線携帯端末）をそれぞれ表す。
【００２６】
図１に示す乗場行先階予約機能を備えたエレベータ群管理システムは、乗場で一般利用者の行先階を登録し、その行先階に応じてエレベータかごを割当てる方式を用いた群管理システムである。利用者は固定設置の行先階登録装置２０、２１を使用してホール呼びと行先階の登録（以下、省略して、両者を合わせ「呼び登録」ということがある）をするが、特定ビル専用の呼び登録アプリケーションをインストールした携帯端末４３または４４の操作でも、無線LAN（wifi等）にアクセスし、呼び登録アプリケーションを操作して呼び登録が可能である。本実施形態に係るエレベータ群管理システムは、例えばＡ号機からＤ号機の４台のエレベータ装置の制御装置３０〜３２とエレベータ装置５０〜５２と、行先階登録装置２０，２１と、群管理制御装置１０とを備えている。各エレベータ装置５０〜５２は、エレベータかご、巻上げ装置、吊り合いおもり、及びロープなどで構成されるが、図１では簡略化してエレベータかごとロープのみを図示している。
【００２７】
本実施形態に係るエレベータ群管理システムの群管理制御装置１０において、呼び登録に対し、割当て号機選択部１０５が割当てるエレベータかごの選択を行う。以下、例として１階の乗場の利用客が２０階を行先階として予約し登録する場合を挙げる。
【００２８】
群管理装置１０において、携帯端末判定部１０１で呼び登録を行った携帯端末を特定して認証し、割当て号機選択部１０５は、呼び登録が発生した階における、最適なエレベータかごの号機を選択する。すなわち、待ち時間算出部１０２が、各エレベータかごの割当てられたホール呼びと、そのホール呼びで登録された行先階から、利用者の待ち時間を算出する。エレベータかごの割当てにおいては、待ち時間算出結果を元に複数台のエレベータかごから最も適切なエレベータかごを選択する。
【００２９】
待ち時間算出部１０２は、各エレベータかごの位置、行先階の登録数などをもとに、時々刻々変化する交通流に基づいて、リアルタイムに利用者の待ち時間をも算出し、割当て号機変更判定部１０３に伝達する。割当て号機変更判定部１０３は、リアルタイムで算出される利用者の待ち時間と、あらかじめ設定したしきい値を比較し、待ち時間がこれより大きくなった場合、エレベータかごの割当て号機の変更を行い、利用者の携帯端末に割当て号機の変更を報知する。
【００３０】
例えば、１階から２０階まであるビルにおいて、利用者が３階で８階の行先階を登録した時点で割当てられたエレベータかごがＡ号機だった場合、その到着予想時間が３０秒とする。その後、Ａ号機が３階に向う間に、例えば１階の利用者が８階の行先階を登録し、Ａ号機に割当てられ、更に２階の利用者が８階の行先階を登録しＡ号機に割当てられたとすると、当初３０秒であった到着予想時間が一定のしきい値（例えば６０秒）を越えることが発生する。この場合、１階の利用者に対しＡ号機以外のエレベータかごでしきい値超えないエレベータかごを再度割当てることで、ある特定の号機に割当てが偏り、全体の効率が悪くなることを抑制でき、かつ、利用者の心理的なイライラについても低減できる。
【００３１】
次に図１の乗場行先階予約方式のエレベータ群管理システムにおいて、携帯端末を行先階登録装置として用いた、呼び登録の方法ついて図２で説明する。
【００３２】
図２（Ａ）の様に、利用者は呼び登録アプリケーション（以下、略して呼びアプリと言うことがある。）用のソフトウエアがインストールされた携帯端末(スマートフォン等)にて、呼びアプリのアイコン２０１が配列されたアプリ表示画面２００を表示する。タッチパネル入力式の液晶表示装置等のタッチパネルディスプレイ（以下、略してディスプレイと言うことがある）を有する携帯端末(スマートフォン等)を使用することで、操作がより簡単になる。また、携帯端末(スマートフォン等)の無線LAN（wifi等）の接続機能を有効にして、携帯端末(スマートフォン等)が無線LAN（wifi等）にアクセスできるようにする。次に、携帯端末(スマートフォン等)において、呼びアプリのアイコン２０１を選択して呼びアプリを起動する。なお、携帯端末(スマートフォン等)には、呼びアプリがインストールされたときに、利用者IDとその利用エレベータの設置ビルの群管理システムのアドレスが呼びアプリにセットされているものとする。ビルのエレベータ群管理システムは、利用者IDの認証を行い、当該携帯端末での呼びアプリの起動を認識して、入力を待機する。
【００３３】
図２（Ｂ）に示される様に、呼びアプリの起動後の画面２１０がスマートフォン等の携帯端末のディスプレイ画面上に表示される。次に、呼び登録を行う操作のために、利用者は、ディスプレイ画面２１０上に表示されるキー２１４を用いて、行先階表示画面２１１に行先階を入力する。
【００３４】
群管理制御装置１０は、無線LAN（wifi等）を介して携帯端末(スマートフォン等)から行先階の入力を受けると、最適なエレベータかごを選択して割当て（割当て号機の選択）、携帯端末(スマートフォン等)に割当て号機の通知を行い、携帯端末(スマートフォン等)のディスプレイ画面上の行先階表示領域２１２に、利用者が乗車する割当て号機を表示する。利用者は、割当て号機が待っている階床に到着次第、表示された割当て号機に乗車する。
【００３５】
呼びアプリの起動の際には、個人認証のために、IDの入力を必要としても良いし、アプリケーションソフトウエアの携帯端末への入力時に、IDを事前にセットして自動送信されるようにしておいても良い。
【００３６】
図２（Ｂ）の画面２１０の表示で、行先階表示領域２１１に入力した数字（例：２０階）が表示されている。
【００３７】
図２（Ｃ）の画面２２０の表示では、割当てられたエレベータかごの号機名が通知されて行先階及び乗車号機表示領域２１２に表示されている。図２（Ｃ）では、Ａ号機が割り当てのエレベータかごとして、表示領域２１２に表示されている。
【００３８】
図２（Ｄ）の画面２３０は、割当て号機の通知（表示）から待ち時間が一定以上となった場合、または一定以上となると予想される場合の割当て号機変更の際の表示画面の例（例：Ｃ号機に割当て号機変更）を説明するものである。エレベータかごの号機の変更処理が群管理制御装置１０によって行われると、無線LAN（wifi等）を介して、変更された号機の名称が携帯端末に配信され、行先階及び乗車号機表示領域２１３表示される。同時に、音声（ピンピン等の音等）やバイブレータによる振動によって、号機変更が行われたことを報知しても良い。
【００３９】
これは利用者が携帯端末の操作で呼び登録を行ったことを群管理制御装置１０が検知し、群管理制御装置１０が割当て変更可能な呼び登録であることを記憶し、この呼び登録に対する待ち時間があらかじめ設定した時間より長くなったかを判定すること、また、利用者が無線LAN（wifi等）を介して携帯端末を操作することで、呼び登録を行ったため、呼び登録の利用者を特定することが可能であることから、割当て号機の変更が可能となる。
【００４０】
群管理制御装置１０は携帯端末（スマートフォン等）の利用者IDで呼び登録を認識し、アドレスを付与して呼び登録リストを作成して記憶部に記憶し、呼び登録を管理することにより、割当て号機、待ち時間を管理し、割当て号機変更判定が可能となる。
【００４１】
図３は、携帯端末(スマートフォン等)で呼び登録を行った際の処理の流れを説明するフローである。  まず、無線LAN（wifi等）への接続機能が有効になっている携帯端末(スマートフォン等)で、呼びアプリを起動して開く（ＳＴ０１）。次に、呼び登録のために行先階の入力をおこなう（ＳＴ０２）。入力された行先階は携帯端末(スマートフォン等)の表示画面に表示される（ＳＴ０３）。
【００４２】
次に、群管理制御装置１０が、携帯端末(スマートフォン等)からの行先階の入力を受けると、最適なエレベータかごを選択して割当て、携帯端末(スマートフォン等)に割当て号機の通知を行い、携帯端末(スマートフォン等)の表示画面上に割当て号機を表示する（ＳＴ０４）。
【００４３】
割当て号機の通知を受けて、利用者は割当て号機の到着を待つことになるが、交通流の変化によって、割当て号機の到着が遅れ、割当て号機の表示から待ち時間が一定以上となった場合、または一定以上となると予測される場合、エレベータかごの号機の変更処理が群管理制御装置１０によって行われる。（ＳＴ０５、ＳＴ０６）
割当て号機変更が行われると、号機変更が携帯端末(スマートフォン等)に報知され、変更された号機の名称が携帯端末に表示される（ＳＴ０７）。
【００４４】
図３に示すように、携帯端末での行先階呼びの入力（例．２０階）により、エレベータかごが割当てられる（例．Ａ号機）と同時に呼び登録を行った利用者が特定できる。群管理制御装置１０がこの呼び登録に対する待ち時間をリアルタイムで監視し、しきい値より長くなった場合に、利用者の携帯端末に対して再割当て号機を報知して表示し（例．Ｃ号機）、合わせて音による報知、またはバイブレータの振動等で利用者に割当て号機が変更になったことを知らせる。
【００４５】
群管理制御装置からの再割当て号機の報知は、群管理制御装置１０から再割り当てのメッセージが創出され、携帯端末（スマートフォン等）の呼び登録アプリがメッセージを自動受信し、呼び登録アプリの設定に応じて自動表示させたり、利用者によるメッセージの開封により、利用者はメッセージを読むことができる。これは、一般のアプリと同じ様に、呼び登録アプリの有する通知機能を利用して、メッセージ（アプリに設定されたお知らせメッセージ）を受信するようにアプリの通知受信機能を設定しておくことにより可能となる。
【００４６】
なお、群管理制御装置からの再割当て号機の報知は、IDとともに、名前やニックネームを登録しておけば、ホールに設置された行先階登録装置のディスプレイに名前やニックネームを出すことも可能である。また、呼び登録に応じた番号（利用客符号）を自動的に割り振って表示しても良い。
【００４７】
以上説明したように、本発明の実施形態は次のような構成を備えることを特徴とするものである。すなわち、乗場行先階予約方式エレベータ群管理システムにおいて群管理制御装置１０が最適なエレベータかごの再割当を実現するために、携帯端末と連携した乗場行先階予約登録方式を備えている。
【００４８】
さらに具体的には、乗場行先階予約方式群管理エレベータにおいて、かご呼び（例．２０階）に対して、利用者に割当てられた号機に対する待ち時間がしきい値より長くなった場合や、待ち時間がしきい値より長くなった場合に、携帯端末へ再割当てを表示すると同時に音や振動により利用者へ再割当したことを報知するものである。
【００４９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。また、各実施例の構成の一部について、他の構成の追加・削除・置換をすることが可能である。
【００５０】
また、上記の各構成、機能、処理部、処理手段等は、それらの一部文は全部を、例えば集積回路で設計する等によりハードウェアで実現しでもよい。また、上記の各構成、機能等は、プロセッサがそれぞれの機能を実現するプログラムを解釈し、実行することによりソフトウエアで実現してもよい。各機能を実現するプログラム、テーブル、ファイル等の情報は、メモリや、ハードディスク、ＳＳＤ(Solid State Drvie)等の記録装置、または、ＩＣカード、ＳＤカード、ＤＶＤ 等の記録媒体に置くことができる。
【００５１】
また、制御線や情報線およびそれらの結合は、説明上必要と考えられるものを示しており、製品上必ずしも全ての制御線や情報線およびそれらの結合を示しているとは限らない。実際には殆ど全てもしくは多くの構成が相互に関係付けられ接続されていると考えてもよい。
【符号の説明】
【００５２】
１０    群管理制御装置
１０１  携帯端末判定部
１０２  待ち時間算出部
１０３  割当て号機変更判定部
１０４  かご内、ホールの表示機制御部
２０、２１  行先階登録装置
３０〜３２  エレベータ制御装置
４３、４４  携帯端末(スマートフォン等)
５０〜５２  エレベータ装置
２００、２１０、２２０、２３０  呼びアプリで行先階登録時の携帯端末の表示画面
【図１】
2014118263.tif 000003
【図２】
2014118263.tif 000004
【図３】
2014118263.tif 000005